(57)【要約】【課題】内部の効率的な冷却、および陽炎現象を抑制した画像の投写が可能なプロジェクターを提供する。【解決手段】プロジェクターは、投写用開口部、および投写用開口部と同一側に第１方向に沿うように配設された排気口を有する外装筐体と、翼６１３の回転によって回転軸の中心軸方向に空気の流入、および流入した空気の送出を行う軸流ファン６１と、第１方向に交差する方向に延出して排気口に配設され、軸流ファン６１から送出された空気を外部に案内する複数の羽根部６３２と、を備え、複数の羽根部６３２の中には、排気口における第１方向および第１方向に直交する第２方向にそれぞれ併設される４つの排気領域のうち、投写用開口部に近い側の２つの排気領域のうちの一方に、翼６１３の回転方向に対応して空気を案内する方向の長さが、他の領域に設けられた羽根部６３２より長い長尺状羽根部６３２ｘが設けられている。【選択図】図３
2014142389.tif 000002
【特許請求の範囲】
【請求項１】
光源から射出された光束を画像情報に応じて変調し、変調した光束を投写レンズによって投写するプロジェクターであって、
前記光源および前記投写レンズを収納し、前記投写レンズから投写される光束が通過する投写用開口部、および前記投写用開口部と同一側に配設され、内部の空気を外部に排出する排気口を有する外装筐体と、
回転軸および前記回転軸周りに配置される翼を有し、前記翼の回転によって前記回転軸の中心軸方向に空気の流入、および流入した空気の送出を行う軸流ファンと、
前記投写用開口部および前記排気口が配設される第１方向に交差する方向に延出して前記排気口に配設され、前記軸流ファンから送出された空気を前記外部に案内する複数の羽根部と、
を備え、
前記複数の羽根部の中には、前記排気口における前記第１方向および前記第１方向に直交する第２方向にそれぞれ併設される４つの排気領域のうち、前記投写用開口部に近い側の２つの前記排気領域のうちの一方に、前記翼の回転方向に対応して前記軸流ファンから送出された空気を前記外部に案内する方向の長さが、他の領域に設けられた前記羽根部より長い長尺状羽根部が設けられていることを特徴とするプロジェクター。
【請求項２】
請求項１に記載のプロジェクターであって、
前記長尺状羽根部は、前記投写用開口部に近い側の２つの前記排気領域のうち、前記投写用開口部に近づくように回転することとなる前記翼から送出された空気が主に排出される前記排気領域に設けられていることを特徴とするプロジェクター。
【請求項３】
請求項１または請求項２に記載のプロジェクターであって、
前記長尺状羽根部は、他の羽根部に対して前記外装筐体の内部側に突出するように形成されていることを特徴とするプロジェクター。
【請求項４】
請求項１〜請求項３のいずれか一項に記載のプロジェクターであって、
前記軸流ファンは、前記回転軸の前記中心軸が前記投写レンズの光軸と同一方向となるように配置されることを特徴とするプロジェクター。
【請求項５】
請求項１〜請求項４のいずれか一項に記載のプロジェクターであって、
前記軸流ファンは、前記排気口と対向するように配置され、
前記４つの排気領域は、前記軸流ファンから空気が送出される方向から見て、前記回転軸に重なる領域を通り、前記第１方向に直交する第１の仮想線、および前記回転軸に重なる領域を通り、前記第２方向に直交する第２の仮想線を介して併設されていることを特徴とするプロジェクター。
【発明の詳細な説明】
【技術分野】
【０００１】
本発明は、プロジェクターに関する。
【背景技術】
【０００２】
従来、光源から射出された光束を変調する光変調装置、および変調した光束を投写する投写レンズを備えたプロジェクターが知られている。このプロジェクターは、光源の発光に伴う発熱によって、プロジェクター内の温度が上昇し、内部部品の性能や機能の劣化を招くため、ファンによって内部の暖まった空気を外部に排出する冷却構造が採用されている。また、内部の空気を排出する排気口が投写方向と同一側に構成されたプロジェクターにおいては、投写画像にゆらぎ（陽炎現象）が生じないように、排気口から排出される暖まった空気が投写レンズから投写される光束の通過する領域に侵入しないように、排出される空気を案内するように構成されたプロジェクターが提案されている（例えば、特許文献１参照）。
【０００３】
特許文献１に記載のプロジェクターは、排気口を有する外装ケース、複数の羽根板を有する安全カバー（ルーバー）、および軸流排気ファンを備えている。安全カバーは、排気口に配置され、複数の羽根板は、外装ケース内部から外部に向かって投写レンズ側から遠ざかる方向に傾斜している。
そして、光源等を冷却して暖まった空気は、軸流排気ファンに吸入され、複数の羽根板に案内されて投写レンズ側から遠ざかる方向に排出される。
【先行技術文献】
【特許文献】
【０００４】
【特許文献１】特開２００２−３６５７２８号公報
【発明の概要】
【発明が解決しようとする課題】
【０００５】
しかしながら、特許文献１に記載のルーバーは、軸流排気ファンの送風性能に対応して羽根板が形成されていないため、羽根板が空気の流れの抵抗となり、外装筐体内部の暖まった空気が効率良く排出されない恐れがある。また、外装筐体内部の暖まった空気を排出させるために軸流排気ファンの駆動電圧を上げると、プロジェクターの騒音が増すという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、変調した光束を投写レンズによって投写するプロジェクターであって、前記光源および前記投写レンズを収納し、前記投写レンズから投写される光束が通過する投写用開口部、および前記投写用開口部と同一側に配設され、内部の空気を外部に排出する排気口を有する外装筐体と、回転軸および前記回転軸周りに配置される翼を有し、前記翼の回転によって前記回転軸の中心軸方向に空気の流入、および流入した空気の送出を行う軸流ファンと、前記投写用開口部および前記排気口が配設される第１方向に交差する方向に延出して前記排気口に配設され、前記軸流ファンから送出された空気を前記外部に案内する複数の羽根部と、を備え、前記複数の羽根部の中には、前記排気口における前記第１方向および前記第１方向に直交する第２方向にそれぞれ併設される４つの排気領域のうち、前記投写用開口部に近い側の２つの前記排気領域のうちの一方に、前記翼の回転方向に対応して前記軸流ファンから送出された空気を前記外部に案内する方向の長さが、他の領域に設けられた前記羽根部より長い長尺状羽根部が設けられていることを特徴とする。
【０００８】
この構成によれば、投写用開口部と排気口とは、外装筐体の同一側に第１方向（例えば、水平方向）に沿うように配設されている。そして、排気口には、第１方向に交差する方向（例えば、鉛直方向）に延出する羽根部が設けられている。そして、４つの排気領域のうち、投写用開口部に近い側の２つの排気領域のうちの一方には、軸流ファンの回転方向に対応して空気を案内する方向の長さ（案内長さ）が、他の領域に設けられた羽根部より長い長尺状羽根部が設けられている。
軸流ファンから送出された空気の一部は、軸流ファンの送出側に位置する部材（例えば、ダクトや外装筐体等）の内面に衝突することによって、方向が変わり、また、この方向は、軸流ファンの翼の回転方向によっても変わるので、上述した領域に長尺状羽根部を設けることで、排気口から排出される空気の、投写レンズから投写される光束の通過する領域（光束通過領域）への侵入を抑制することが可能となる。排気口から排出される空気は、光源等を冷却して暖まった空気なので、この空気の光束通過領域への侵入を抑制することで、スクリーン等に投写される画像が揺らぐ現象（陽炎現象）を抑制することが可能となる。また、長尺状羽根部以外の羽根部の案内長さを長尺状羽根部より短く形成することで、暖まった内部の空気を効率よく外部に排出することが可能となる。
したがって、プロジェクター内部を効率的に冷却すると共に、陽炎現象を抑制した画像の投写が可能となる。また、効率的な排気が可能なため、軸流ファンの低電圧駆動によるプロジェクターの低騒音化が図れる。
【０００９】
［適用例２］上記適用例に係るプロジェクターにおいて、前記長尺状羽根部は、前記投写用開口部に近い側の２つの前記排気領域のうち、前記投写用開口部に近づくように回転することとなる前記翼から送出された空気が主に排出される前記排気領域に設けられていることが好ましい。
【００１０】
軸流ファンにおいて、投写用開口部に近づくように回転することとなる翼から送出された空気は、軸流ファンの送出側に位置する部材の内面に衝突することによって、投写用開口部側に進行方向が変わり易くなる。
この構成によれば、長尺状羽根部は、投写用開口部側に進行方向が変わり易くなる空気が主に排出される排気領域に設けられているので、投写用開口部側に向かい易い空気の方向を変え、光束通過領域への侵入を効率よく抑制することが可能となる。
【００１１】
［適用例３］上記適用例に係るプロジェクターにおいて、前記長尺状羽根部は、他の羽根部に対して前記外装筐体の内部側に突出するように形成されていることが好ましい。
【００１２】
この構成によれば、長尺状羽根部を軸流ファンにより近い位置に配設することができるので、軸流ファンから送出される空気がより投写用開口部側に向かわないように案内することが可能となる。また、外面側に長尺状羽根部を突出させることなく、案内長さを長くできるので、プロジェクターの外観性の向上が図れる。よって、プロジェクターのデザイン性の向上を図りつつ、より陽炎現象を抑制することが可能となる。
【００１３】
［適用例４］上記適用例に係るプロジェクターにおいて、前記軸流ファンは、前記回転軸の前記中心軸が前記投写レンズの光軸と同一方向となるように配置されることが好ましい。
【００１４】
この構成によれば、軸流ファンは、空気を送出する送出口が画像の投写面に沿う面に正対するように配置される。これによって、送出口が投写面に沿う面に対して正対されずに軸流ファンが斜めに配置される構成に比べ、外装筐体における軸流ファンの収納スペースを効率よく設定することが可能となる。よって、大型化を抑制して、内部を適切に冷却すると共に、陽炎現象を抑制した画像の投写が可能なプロジェクターの提供が図れる。
【００１５】
［適用例５］上記適用例に係るプロジェクターにおいて、前記軸流ファンは、前記排気口と対向するように配置され、前記４つの排気領域は、前記軸流ファンから空気が送出される方向から見て、前記回転軸に重なる領域を通り、前記第１方向に直交する第１の仮想線、および前記回転軸に重なる領域を通り、前記第２方向に直交する第２の仮想線を介して併設されていることが好ましい。
【００１６】
この構成によれば、軸流ファンは、排気口と対向するように配置され、４つの排気領域は、上述したように形成されているので、軸流ファンの翼の回転方向に対応させて長尺状羽根部を含めた複数の羽根部の配設する位置を容易に設定することが可能となる。
【図面の簡単な説明】
【００１７】
【図１】本実施形態のプロジェクターの概略構成を示す模式図。
【図２】本実施形態のプロジェクターを前方から見た外観図。
【図３】本実施形態の冷却装置を前方から見た図。
【図４】本実施形態の軸流ファンの一部を示す斜視図。
【図５】本実施形態の冷却装置を上方から見た断面図。
【図６】本実施形態の外装筐体内から見たルーバーの斜視図。
【図７】本実施形態における軸流ファン近傍の冷却装置の一部を前方から見た模式図。
【発明を実施するための形態】
【００１８】
以下、本実施形態に係るプロジェクターについて、図面を参照して説明する。
本実施形態のプロジェクターは、光源から射出された光束を画像情報に応じて変調し、スクリーン等の投写面に画像を投写する。
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１および投写レンズ３６を有する光学ユニット３、および冷却装置６を備えている。光学ユニット３は、平面視略Ｌ字状に形成され、一方の端部に光源装置３１が着脱可能に配置され、他方の端部に投写レンズ３６が配置される。なお、図示は省略するが、外装筐体２の内部には、さらに、光源装置３１や制御部に電力を供給する電源装置等が配置されている。また、以下では、説明の便宜上、光源装置３１から光束が射出される方向を＋Ｘ方向、投写レンズ３６から光束が射出される方向を＋Ｙ方向（前側）、プロジェクター１が机上等に据え置かれた姿勢における上方を＋Ｚ方向（上側）として記載する。また、±Ｘ方向を左右方向とする。
【００１９】
図２は、本実施形態のプロジェクター１を前方から見た外観図である。
外装筐体２は、合成樹脂製であり、図２に示すように、外装筐体２の上部を形成するアッパーケース２１、下部を形成するロアーケース２２等を備えており、これらは、ネジ等により固定されている。
【００２０】
外装筐体２には、図２に示すように、投写レンズ３６の先端部が露出し、投写レンズ３６から射出される光束が通過する投写用開口部２Ａ、および外装筐体２内部の空気が外部に排出される排気口２Ｂが設けられている。排気口２Ｂは、図２に示すように、投写用開口部２Ａの左方に投写用開口部２Ａと同一側に形成されている。また、投写用開口部２Ａおよび排気口２Ｂは、第１方向としての左右方向（±Ｘ方向）に沿うように配設されている。また、図示は省略するが、外装筐体２には、外気を取り込むための吸気口が設けられている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２２】
〔光学ユニットの構成〕
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、光学装置４、投写レンズ３６、およびこれらの部材を光路上の所定位置に配置する光学部品用筐体３８を備えている。
【００２３】
光源装置３１は、超高圧水銀ランプやメタルハライドランプ等からなる放電型の光源３１１およびリフレクター３１２等を備え、光源３１１から射出された光束をリフレクター３１２にて反射し、インテグレーター照明光学系３２に向けて射出する。
【００２４】
インテグレーター照明光学系３２は、第１レンズアレイ３２１、第２レンズアレイ３２２、偏光変換素子３２３、および重畳レンズ３２４を備え、光源装置３１から射出された光束が後述する液晶ライトバルブ５２の表面に略均一に照射されるように、また有効利用されるように構成されている。
【００２５】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２６】
リレー光学系３４は、入射側レンズ３４１、リレーレンズ３４３、および反射ミラー３４２，３４４を備え、色分離光学系３３で分離されたＲ光をＲ光用の液晶ライトバルブ５２まで導く機能を有する。なお、光学ユニット３は、リレー光学系３４がＲ光を導く構成としているが、これに限らず、例えば、Ｂ光を導く構成としてもよい。
【００２７】
光学装置４は、各色光用に設けられた電気光学装置５（Ｒ光用の電気光学装置を５Ｒ、Ｇ光用の電気光学装置を５Ｇ、Ｂ光用の電気光学装置を５Ｂとする）、および色合成光学装置としてのクロスダイクロイックプリズム４１を備えている。
各電気光学装置５は、入射側偏光板５１、光変調装置としての液晶ライトバルブ５２（Ｒ光用の液晶ライトバルブを５２Ｒ、Ｇ光用の液晶ライトバルブを５２Ｇ、Ｂ光用の液晶ライトバルブを５２Ｂとする）、および射出側偏光板５４を備え、各色光を画像情報に応じて変調する。
【００２８】
クロスダイクロイックプリズム４１は、４つの直角プリズムを貼り合わせた平面視略正方形状をなし、直角プリズム同士を貼り合わせた界面には、２つの誘電体多層膜が形成されている。クロスダイクロイックプリズム４１は、誘電体多層膜が電気光学装置５Ｒ，５Ｂにて変調された色光を反射し、電気光学装置５Ｇにて変調された色光を透過して、各色光を合成する。
【００２９】
投写レンズ３６は、光軸３６Ｊに沿って配置される複数のレンズ（図示省略）を有し、クロスダイクロイックプリズム４１にて合成された光をスクリーン上に拡大投写する。
【００３０】
〔冷却装置の構成〕
冷却装置６は、図１に示すように、光源装置３１の前方（＋Ｙ方向）に配置され、光源装置３１等を冷却し、冷却した空気を外装筐体２外部に排出する。
冷却装置６は、軸流ファン６１、ダクト６２、および外装筐体２の排気口２Ｂに配置されるルーバー６３を備えている。
図３は、冷却装置６を前方（＋Ｙ方向）から見た図である。図４は、軸流ファン６１の一部を示す斜視図である。
【００３１】
軸流ファン６１は、図３、図４に示すように、筒状の外枠６１１、中心軸６１Ｊを有する回転軸６１２、回転軸６１２の外周に所定のピッチで形成された複数の翼６１３、支持部材６１４、および図示しないモーターを備え、翼６１３の回転によって中心軸６１Ｊ方向に空気の流入、および流入した空気の送出を行う。回転軸６１２および翼６１３は、例えば、樹脂製で一体的に形成されている。支持部材６１４は、円柱状部および突出部を有して外枠６１１に固定され、回転軸６１２は、支持部材６１４の円柱状部に回転自在に軸支される。
【００３２】
回転軸６１２には、モーターの回転軸が挿通され、複数の翼６１３は、モーターが駆動されると、回転軸６１２と共に回転する。
各翼６１３は、図４に示すように、前側端部６１３ｆから後側端部６１３ｒに向かうに従って時計回りに延出するように形成されている。軸流ファン６１は、モーターが駆動されると、前方（＋Ｙ方向）から見て、翼６１３が時計回りに回転し、外枠６１１の内側で後側端部６１３ｒ側から前側端部６１３ｆ側に向かって空気を流動させ、流入した空気を前方（＋Ｙ方向）に送出する。
【００３３】
軸流ファン６１は、図１に示すように、光源装置３１とルーバー６３との間に、中心軸６１Ｊが投写レンズ３６の光軸３６Ｊと同一方向となるように、また、排気口２Ｂに対向するように配置される。つまり、軸流ファン６１は、空気を送出する送出口が画像の投写面に沿う面に正対するように配置される。そして、軸流ファン６１は、モーターが駆動されると、光源装置３１側から空気を流入させ、流入した空気をルーバー６３側に送出する。
【００３４】
図５は、冷却装置６を上方から見た断面図である。なお、図５における軸流ファン６１は、翼６１３等の構成部材が省略されている。
ダクト６２は、筒状に形成され、光源装置３１の前方から延出し、図５に示すように、軸流ファン６１を囲むように形成されている。ダクト６２は、軸流ファン６１に流入する空気を案内する機能を有している。
【００３５】
図６は、外装筐体２内から見たルーバー６３の斜視図である。
ルーバー６３は、図３、図６に示すように、フレーム部６３１、羽根部６３２、および補強部６３３を有している。
フレーム部６３１は、平面視における大きさが軸流ファン６１の外枠６１１より大きく、外装筐体２の排気口２Ｂの周縁部に沿うように形成されている。
【００３６】
羽根部６３２は、フレーム部６３１の内側に、左右方向（±Ｘ方向、第１方向）に交差する方向、本実施形態では、略上下方向に沿う方向に延出して複数形成されている。複数の羽根部６３２は、図５に示すように、Ｙ−Ｚ平面に対して前側が後側より投写用開口部２Ａ（図２参照）から遠ざかるように傾斜し、軸流ファン６１から送出された空気を外装筐体２外部に案内する。
【００３７】
羽根部６３２は、図３に示すように、投写用開口部２Ａ（図２参照）に近い側から順次配設された羽根部６３２ａ，６３２ｂ，６３２ｃで構成されている。
羽根部６３２ａ，６３２ｂ，６３２ｃは、排気口２Ｂにおける第１方向（左右方向、±Ｘ方向）、および第１方向に直交する第２方向（上下方向、±Ｚ方向）にそれぞれ併設される４つの排気領域７Ａｕ，７Ａｄ，７Ｂｕ，７Ｂｄに対して以下のように配設されている。
【００３８】
先ず、排気領域７Ａｕ，７Ａｄ，７Ｂｕ，７Ｂｄについて説明する。
排気領域７Ａｕ，７Ａｄ，７Ｂｕ，７Ｂｄは、図３に示すように、軸流ファン６１から空気が送出される方向（前方）から見て、軸流ファン６１の回転軸６１２（図４参照）に重なる領域７０を通り、第１方向（左右方向）に直交する第１の仮想線ＶＬ１、および領域７０を通り、第２方向（上下方向）に直交する第２の仮想線ＶＬ２を介して併設されている。本実施形態では、前方から見て、回転軸６１２の中心軸６１Ｊを通り、上下方向に延出する線を第１の仮想線ＶＬ１、中心軸６１Ｊを通り、左右方向に延出する線を第２の仮想線ＶＬ２として構成されている。
【００３９】
そして、複数の羽根部６３２のうち、投写用開口部２Ａに最も近い羽根部６３２ａは、排気領域７Ａｕ，７Ａｄ，７Ｂｕ，７Ｂｄのうちの右側、つまり投写用開口部２Ａに近い側の排気領域７Ａｕ，７Ａｄに形成されている。さらに、羽根部６３２ａには、右側に位置する排気領域７Ａｕ，７Ａｄのうち、上側の排気領域７Ａｕに、空気を案内する方向の長さ（案内長さ）が、他の羽根部６３２の長さより長い長尺状羽根部６３２ｘが設けられている。
【００４０】
また、長尺状羽根部６３２ｘは、図３、図６に示すように、他の羽根部６３２より外装筐体２の内部側に突出するように形成されている。つまり、長尺状羽根部６３２ｘは、図３、図６に示すように、排気領域７Ａｄに形成された羽根部６３２ａに対して段差を有して形成されている。
後で詳細に説明するが、長尺状羽根部６３２ｘは、軸流ファン６１の回転方向に対応して排気領域７Ａｕに設けられている。なお、羽根部６３２は、左右方向（第１方向）に交差する方向であれば、上下方向（第２方向）に限らず左右方向に対して傾斜する方向に延出するように形成してもよい。
【００４１】
図３に示すように、羽根部６３２ａの左側（−Ｘ側）に位置する羽根部６３２ｂは、前方から見て、第１の仮想線ＶＬ１近傍に設けられている。
そして、羽根部６３２ｂの左側（−Ｘ側）に位置する羽根部６３２ｃは、排気領域７Ａｕ，７Ａｄ，７Ｂｕ，７Ｂｄのうちの左側（−Ｘ側）に位置する排気領域７Ｂｕ，７Ｂｄに形成されている。
【００４２】
このように、排気口２Ｂには、第１方向に交差する方向に延出し、軸流ファン６１から送出された空気を外部に案内する複数の羽根部６３２ａ，６３２ｂ，６３２ｃが設けられている。そして、排気口２Ｂにおける第１方向（左右方向）および第１方向に直交する第２方向（上下方向）にそれぞれ併設される４つの排気領域のうち、投写用開口部２Ａに近い側の２つの排気領域のうちの一方の領域には、軸流ファン６１の回転方向に対応して案内長さが、他の羽根部６３２より長い長尺状羽根部６３２ｘが設けられている。
【００４３】
補強部６３３は、図３、図６に示すように、第１方向に略沿う方向に延出して複数設けられ、羽根部６３２とで格子状に形成されている。そして、補強部６３３の前後方向の長さは、図６に示すように、長尺状羽根部６３２ｘ以外の羽根部６３２の長さより短く形成されている。
【００４４】
〔軸流ファンから送出された空気の流れ〕
ここで、軸流ファン６１から送出された空気の流れについて説明する。
軸流ファン６１から送出された空気は、図５に示すように、ルーバー６３に向かい、複数の羽根部６３２の間を直接通過する空気や、複数の羽根部６３２に案内される空気となって外部に排出される。また、軸流ファン６１から送出された空気の一部は、ダクト６２やルーバー６３におけるフレーム部６３１の内面に衝突した後、ルーバー６３に向かう。
【００４５】
図７は、軸流ファン６１近傍の冷却装置６の一部を前方から見た模式図である。なお、図７は、空気の流れが明確になるようにルーバー６３における羽根部６３２ｂ，６３２ｃを省略した図である。
軸流ファン６１は、前述したように、前方（＋Ｙ方向）から見て、翼６１３が時計回りに回転し、空気を送出する。つまり、翼６１３は、排気領域７Ａｕ，７Ｂｕに対応する領域において、投写用開口部２Ａ側に近づくように回転し、排気領域７Ａｄ，７Ｂｄに対応する領域において、投写用開口部２Ａ側にから遠ざかるように回転する。
【００４６】
軸流ファン６１から送出された空気の一部は、図７に示すように、ダクト６２やフレーム部６３１の内面に衝突して、風向きが変わる。
具体的に、排気領域７Ａｕに対応する領域から送出される空気の一部は、ダクト６２やフレーム部６３１の上側の内面に衝突して、＋Ｘ方向に向かう空気Ａｒ１としてルーバー６３に向かう。排気領域７Ａｕには、案内長さが他より長い長尺状羽根部６３２ｘが設けられているので、空気Ａｒ１は、この長尺状羽根部６３２ｘに案内され、排気口２Ｂから＋Ｘ方向、つまり投写用開口部２Ａ側に向かうことが抑制される。
【００４７】
また、排気領域７Ｂｕに対応する領域から送出される空気の一部も、ダクト６２やフレーム部６３１の上側の内面に衝突して＋Ｘ方向に向かうが、多くがフレーム部６３１、羽根部６３２ｃ，６３２ｂ、および長尺状羽根部６３２ｘそれぞれの間から排出されるので、＋Ｘ方向に向かう風量は僅かなものとなる。
【００４８】
一方、排気領域７Ａｄ，７Ｂｄに対応する軸流ファン６１の送出口の領域から送出される空気の一部は、ダクト６２やフレーム部６３１の下側の内面に衝突して、−Ｘ方向、つまり投写用開口部２Ａから遠ざかる方向に向かう空気Ａｒ２として羽根部６３２に向かう。排気領域７Ａｄ，７Ｂｄに設けられた羽根部６３２は、長尺状羽根部６３２ｘより案内長さが短いので、空気Ａｒ２は、この羽根部６３２に遮られることが抑制され、複数の羽根部６３２の間から効率よく外装筐体２外部に排出される。
【００４９】
このように、長尺状羽根部６３２ｘは、投写用開口部２Ａに近い側の２つの排気領域７Ａｕ，７Ａｄのうち、投写用開口部２Ａに近づくように回転することとなる翼６１３から送出された空気が主に排出される排気領域７Ａｕに設けられている。そして、長尺状羽根部６３２ｘは、翼６１３が投写用開口部２Ａ側に近づくように回転する領域から送出される空気が投写用開口部２Ａ側に排出されることを抑制している。そして、長尺状羽根部６３２ｘ以外の羽根部６３２は、流入する空気が効率よく排出されるよう案内長さが短く形成されている。
【００５０】
なお、本実施形態では、長尺状羽根部６３２ｘは、時計回りに回転する軸流ファン６１に対応して排気口２Ｂにおける右上の排気領域７Ａｕに設けられているが、反時計回りに回転する軸流ファンを用いた場合には、長尺状羽根部６３２ｘは、排気口２Ｂにおける右下の排気領域７Ａｄに形成されることとなる。
【００５１】
また、排気口２Ｂが投写用開口部２Ａの右側に位置する構成においては、４つの排気領域のうち、投写用開口部２Ａに近い側の２つの排気領域のうちの一方の領域に、翼６１３の回転方向に対応して長尺状羽根部６３２ｘが設けられることとなる。すなわち、時計回りに回転する軸流ファンを用いた場合には、投写用開口部２Ａに近い側の２つの排気領域のうち、下側の排気領域に長尺状羽根部６３２ｘが設けられ、反時計回りに回転する軸流ファンを用いた場合には、投写用開口部２Ａに近い側の２つの排気領域のうち、上側の排気領域に長尺状羽根部６３２ｘが設けられることとなる。
【００５２】
以上説明したように、本実施形態によれば、以下の効果を得ることができる。
（１）投写用開口部２Ａと排気口２Ｂとは、外装筐体２の同一側に第１方向（左右方向）に沿うように配設され、排気口２Ｂには、第１方向（左右方向）に交差する方向に延出する羽根部６３２が設けられている。そして、４つの排気領域７Ａｕ，７Ａｄ，７Ｂｕ，７Ｂｄのうち、投写用開口部２Ａに近い側の２つの排気領域７Ａｕ，７Ａｄのうちの一方（排気領域７Ａｕ）には、軸流ファン６１の回転方向に対応して空気を案内長さが、他の領域に設けられた羽根部６３２より長い長尺状羽根部６３２ｘが設けられている。
これによって、排気口２Ｂから排出される空気の、投写レンズ３６から投写される光束通過領域への侵入を抑制することが可能となる。排気口２Ｂから排出される空気は、光源装置３１等を冷却して暖まった空気なので、この空気の光束通過領域への侵入を抑制することで、スクリーン等に投写される画像が揺らぐ現象（陽炎現象）を抑制することが可能となる。また、長尺状羽根部６３２ｘ以外の羽根部６３２の案内長さは、長尺状羽根部６３２ｘの案内長さより短く、暖まった内部の空気を効率よく外部に排出するように形成されている。
したがって、プロジェクター１内部を効率的に冷却すると共に、陽炎現象を抑制した画像の投写が可能となる。また、効率的な排気が可能なため、軸流ファン６１の低電圧駆動によるプロジェクター１の低騒音化が図れる。
【００５３】
（２）長尺状羽根部６３２ｘは、投写用開口部２Ａに近い側の２つの排気領域７Ａｕ，７Ａｄのうち、投写用開口部２Ａに近づくように回転することとなる翼６１３から送出された空気が主に排出される排気領域７Ａｕに設けられている。これによって、投写用開口部２Ａ側に向かい易い空気の方向を変え、光束通過領域への侵入を効率よく抑制することが可能となる。
【００５４】
（３）長尺状羽根部６３２ｘは、他の羽根部６３２に対して外装筐体２の内部側に突出するように形成されているので、長尺状羽根部６３２ｘを軸流ファン６１により近い位置に配設することができる。これによって、軸流ファン６１から送出される空気がより投写用開口部２Ａ側に向かわないように案内することが可能となる。また、外面側に長尺状羽根部６３２ｘを突出させることなく、案内長さを長くできるので、プロジェクター１の外観性の向上が図れる。よって、プロジェクター１のデザイン性の向上を図りつつ、より陽炎現象を抑制することが可能となる。
【００５５】
（４）軸流ファン６１は、空気を送出する送出口が画像の投写面に沿う面に正対するように配置される。これによって、軸流ファン６１の送出口が投写面に沿う面に対して正対されずに軸流ファン６１が斜めに配置される構成に比べ、外装筐体２における軸流ファン６１の収納スペースを効率よく設定することが可能となる。よって、大型化を抑制して、内部を適切に冷却すると共に、陽炎現象を抑制した画像の投写が可能なプロジェクター１の提供が図れる。
【００５６】
（５）軸流ファン６１から送出された空気を効率よく案内できるので、軸流ファン６１とルーバー６３とを近づけることが可能となる。これによって、軸流ファン６１とルーバー６３との間の省スペース化が可能となり、プロジェクター１の小型化が図れる。
【００５７】
（６）軸流ファン６１は、排気口２Ｂと対向するように配置され、排気領域７Ａｕ，７Ａｄ，７Ｂｕ，７Ｂｄは、軸流ファン６１から空気が送出される方向から見て、回転軸６１２に重なる領域７０を通る第１の仮想線ＶＬ１、および第２の仮想線ＶＬ２を介して併設されている。これによって、翼６１３の回転方向に対応させて長尺状羽根部６３２ｘを含めた複数の羽根部６３２の配設する位置を容易に設定することが可能となる。
【００５８】
（変形例）
なお、前記実施形態は、以下のように変更してもよい。
前記実施形態では、羽根部６３２は、３つ（羽根部６３２ａ，６３２ｂ，６３２ｃ）設けられているが、３つ以外の数で構成してもよい。また、同じ排気領域に複数の羽根部６３２を設けてもよく、長尺状羽根部６３２ｘが設けられた排気領域において、この長尺状羽根部６３２ｘより案内長さが短い羽根部６３２を長尺状羽根部６３２ｘより投写用開口部２Ａに近い側に設けてもよい。
【００５９】
前記実施形態のプロジェクター１は、投写用開口部２Ａと排気口２Ｂとが第１方向としての左右方向に沿うように構成されているが、投写用開口部と排気口とが上下方向や、左右方向に対して傾斜する方向に沿うようにプロジェクターを構成してもよい。この構成の場合、上下方向や、傾斜する方向が第１方向となり、この第１方向に直交する方向が第２方向となる。
【００６０】
前記実施形態のプロジェクター１は、光変調装置として透過型の液晶ライトバルブ５２を用いているが、反射型の液晶ライトバルブを利用したものであってもよい。また、光変調装置としてマイクロミラーアレイを用いたデバイス等を利用したものであってもよい。
【００６１】
光源３１１は放電型のランプに限らず、その他の方式のランプや発光ダイオード等の固体光源で構成してもよい。
【符号の説明】
【００６２】
１…プロジェクター、２…外装筐体、２Ａ…投写用開口部、２Ｂ…排気口、３…光学ユニット、６…冷却装置、７Ａｄ，７Ａｕ，７Ｂｄ，７Ｂｕ…排気領域、３１…光源装置、３６…投写レンズ、３６Ｊ…光軸、５２…液晶ライトバルブ、６１…軸流ファン、６１Ｊ…中心軸、６２…ダクト、６３…ルーバー、７０…領域、３１１…光源、６１１…外枠、６１２…回転軸、６１３…翼、６３１…フレーム部、６３２，６３２ａ，６３２ｂ，６３２ｃ…羽根部、６３２ｘ…長尺状羽根部、ＶＬ１…第１の仮想線、ＶＬ２…第２の仮想線。
【図１】
2014142389.tif 000003
【図２】
2014142389.tif 000004
【図３】
2014142389.tif 000005
【図４】
2014142389.tif 000006
【図５】
2014142389.tif 000007
【図６】
2014142389.tif 000008
【図７】
2014142389.tif 000009